(57)【特許請求の範囲】
【請求項１】
射出成形された樹脂製の筒状プリフォームの二軸延伸ブロー成形体であり、かつ、下端に開口部を有する筒状の排出部と、前記排出部と連続し、かつ上方に延びる扁平筒状下部と、前記扁平筒状下部と連続し、かつ上方に延びる扁平筒状胴部と、前記扁平筒状胴部と連続し、かつ上方に延びる扁平筒状上部とを備え、かつ前記扁平筒状下部、前記扁平筒状胴部および前記扁平筒状上部は、水平断面において長軸と短軸とを有する扁平形状を有する医療用液体収納容器体であって、
前記容器体は、前記扁平筒状上部に設けられた閉塞上面部と、前記閉塞上面部より下方に延び、かつ、前記扁平筒状上部の前記長軸の両端に設けられた２つの肩側部と、前記肩側部と連続し、かつ下方に延びる２つの胴部側部と、前記胴部側部と連続し、かつ下方に延びる２つの下部側部を備え、
前記扁平筒状上部は、前記閉塞上面部に向かって前記長軸の長さおよび前記短軸の長さが減少するように形成されており、さらに、
前記２つの肩側部は、外方に向かって略円弧状に突出する湾曲部となっており、前記２つの胴部側部は、外方に向かって略円弧状に突出する湾曲部となっており、前記２つの下部側部は、外方に向かって略円弧状に突出する湾曲部となっており、
前記肩側部の上下方向の外縁は、曲率半径３０〜６０ｍｍの略円弧状外縁となっており、かつ、前記２つの肩側部の水平方向の外縁は、曲率半径１０〜２５ｍｍの略円弧状外縁となっており、
前記２つの肩側部を含む前記扁平筒状上部は、前記扁平筒状胴部に向かって、徐々に肉薄となっており、
前記扁平筒状下部は、前記扁平筒状胴部に向かって、徐々に肉薄となっており、前記扁平筒状胴部は、前記扁平筒状下部および前記扁平筒状上部よりも薄肉となっており、かつ、前記扁平筒状胴部は、最長長軸部位を備え、前記最長長軸部位が前記扁平筒状胴部の最肉薄部となっており、
さらに、前記容器体は、前記容器体に大気圧の空気を導入した状態において、前記２つの肩側部間の距離が前記２つの胴部側部間の最大距離の９０％となる肩側部部位を備え、かつ、前記肩側部部位の水平断面における前記長軸の長さである肩側部長軸長が、前記扁平筒状上部の上端から前記肩側部部位間の上下方向における長さである肩側部上下方向長の２〜８倍であり、かつ、前記肩側部部位の水平断面における前記容器体の外周の長さである肩側部外周長が、前記肩側部長軸長の２．１〜２．７倍であることを特徴とする医療用液体収納容器体。
【請求項２】
前記肩側部部位の水平断面における前記肩側部長軸長は、前記肩側部上下方向長の３〜６倍である請求項１に記載の医療用液体収納容器体。
【請求項３】
前記肩側部部位の水平断面における前記肩側部外周長は、前記肩側部長軸長の２．２〜２．５倍である請求項１または２に記載の医療用液体収納容器体。
【請求項４】
前記容器体は、前記長軸の両端に位置する長軸部位が、前記容器体の上下方向の中心軸から前記容器体の外縁までの距離の最大値部位となっている請求項１ないし３のいずれかに記載の医療用液体収納容器体。
【請求項５】
前記容器体は、前記扁平筒状上部の前記長軸を挟んで対向する正面および裏面にそれぞれ設けられた上部中央部を備え、前記上部中央部は、下部から前記閉塞上面部に向かって急激に肉厚となるものとなっている請求項１ないし４のいずれかに記載の医療用液体収納容器体。
【請求項６】
前記容器体は、前記閉塞上端部に吊下用部材装着部もしくは吊下可能部を備えている請求項１ないし５のいずれかに記載の医療用液体収納容器体。
【請求項７】
前記下部側部の上下方向の外縁は、曲率半径３０〜６０ｍｍの略円弧状外縁となっており、かつ、前記下部側部の水平方向の外縁は、曲率半径１０〜２５ｍｍの略円弧状外縁となっている請求項１ないし６のいずれかに記載の医療用液体収納容器体。
【請求項８】
前記胴部側部の水平方向の外縁は、曲率半径１０〜２５ｍｍの略円弧状となっている請求項１ないし７のいずれかに記載の医療用液体収納容器体
【請求項９】
請求項１ないし８のいずれかに記載の医療用液体収納容器体と、前記排出部の前記開口部を封止するとともに、薬剤排出用針の接続が可能な排出ポートと、前記医療用液体収納容器体内に充填された薬剤とを備えることを特徴とする薬剤充填済み医療用容器。
【請求項１０】
下端に開口部を有する筒状の排出部と、前記排出部と連続し、かつ上方に延びる扁平筒状下部と、前記扁平筒状下部と連続し、かつ上方に延びる扁平筒状胴部と、前記扁平筒状胴部と連続し、かつ上方に延びる扁平筒状上部とを備え、かつ前記扁平筒状下部、前記扁平筒状胴部および前記扁平筒状上部は、水平断面において長軸と短軸とを有する扁平形状を備え、さらに、前記扁平筒状上部に設けられた閉塞上面部と、前記扁平筒状上部の両端に設けられた２つの肩側部と、前記２つの肩側部と連続し、かつ下方に延びる２つの胴部側部と、前記２つの胴部側部と連続し、かつ下方に延びる２つの下部側部を有する医療用液体収納容器体の製造方法であって、
射出成形された樹脂製の筒状プリフォームを準備するプリフォーム準備工程と、
前記排出部を成形する排出部成形部と、前記２つの肩側部と閉塞上面部を有する前記扁平筒状上部を成形する筒状上部成形部と、前記２つの胴部側部を有する前記扁平筒状胴部を成形する胴部成形部と、前記排出部の上端と連続する前記扁平筒状下部を成形する筒状下部成形部と、前記容器体の上下方向の中心軸と一致する成形型中心軸とを備える成形型であって、
前記筒状上部成形部は、閉塞上面部形成部に向かって幅が減少し、厚さも薄くなり、さらに、前記２つの肩側部が、外方に向かって略円弧状に突出する湾曲部となり、形成される肩側部の上下方向の外縁が、曲率半径３０〜６０ｍｍの略円弧状外縁となり、かつ、形成される肩側部の水平方向の外縁が、曲率半径１０〜２５ｍｍの略円弧状外縁となるように成形する２つの肩側部成形部を備え、
前記胴部成形部は、前記２つの胴部側部が外方に向かって略円弧状に突出する湾曲部となるように成形する２つの胴部側部成形部を備え、前記筒状下部成形部は、前記２つの下部側部が外方に向かって略円弧状に突出する湾曲部となるように成形する２つの下部側部形成部を備え、
かつ、前記２つの肩側部成形部間の距離が前記２つの胴部側部成形部間の最大距離の９０％となる肩側部部位成形部を有し、さらに、前記肩側部部位成形部は、前記成形型中心軸と直交する成形型肩側部断面における成形型内腔の長軸の長さである成形型肩側部長軸長が、前記成形型中心軸方向における前記上部成形部の上端部から肩側部下端部成形部までの長さである肩側部成形部軸長の３〜８倍であり、かつ、前記成形型肩側部断面における前記上部成形部の内周の長さである肩側部成形部内周長は、前記成形型肩側部長軸長の２．１〜２．７倍である成形型を準備する成形型準備工程と、
前記成形型内に、前記筒状プリフォームの加熱物を配置する加熱筒状プリフォーム配置工程と、
前記加熱筒状プリフォームを前記成形型中心軸方向に延伸する軸延伸と前記筒状プリフォーム内に空気を送り込む拡張延伸とを行い延伸物を形成し、かつ、前記延伸物を前記成形型の内面に当接させて前記容器体を成形する延伸成形工程とを行い、前記扁平筒状下部および前記扁平筒状上部が、前記扁平筒状胴部に向かって、徐々に肉薄となり、前記扁平筒状胴部は、前記扁平筒状下部および前記扁平筒状上部よりも薄肉部となり、かつ、前記扁平筒状胴部は、上下方向中央部位に最長長軸部位を備え、前記最長長軸部位が前記扁平筒状胴部の最肉薄部となる医療用液体収納容器体の形成を行うことを特徴とする医療用液体収納容器体の製造方法。
【請求項１１】
薬剤充填済み医療用容器の製造方法であって、請求項１０に記載の医療用液体収納容器体の製造方法により医療用液体収納容器体を製造する医療用液体収納容器体製造工程と、前記容器体内に前記薬剤を充填する薬剤工程と、前記容器体の前記排出部の前記開口部を前記排出ポートで封止する排出ポート形成工程とを行うことを特徴とする薬剤充填済み医療用容器の製造方法。
【発明の詳細な説明】
【技術分野】
【０００１】
本発明は、医療用液体収納容器体、薬剤充填済み医療用容器、医療用液体収納容器体の製造方法および薬剤充填済み医療用容器の製造方法に関する。
【背景技術】
【０００２】
医療用容器、例えば、輸液用容器としては、２枚のシートを貼り合わせて作製したもの、筒状のパリソンをブロー成形することにより作製したもの、有底筒状のプリフォームをブロー成形により扁平筒状の立体形状を有するように作製したものなど各種のものがある。【０００３】
ブロー成形による医療用容器としては、特許第３０１３２００号公報（特許文献１）のものがある。特許文献１の薬液用プラスチック容器は、胴部と、該胴部の上端及び下端に連なる上方肩側部及び下方肩側部と、該上方肩側部を介して形成した吊具と、該下方肩側部を介して形成した口部からなり、円周方向で平坦面と側端面とにより略楕円形状を構成するブロー成形した合成樹脂製の薬液用プラスチック容器において、容器は引張弾性率が１００〜４０００Ｋｇ／ｃｍ２の合成樹脂にて構成し、側端面を薄肉に形成し、且つ、上方肩側部から胴部上端近傍にかけての平坦面と下方肩側部から胴部下端近傍にかけての平坦面とを厚肉に形成し、胴部の上下方向中央部の平坦面を薄肉に形成したものとなっている。
【先行技術文献】
【特許文献】
【０００４】
【特許文献１】特許３０１３２００号公報
【特許文献２】特開２０１１−７９２４３号公報
【発明の概要】
【発明が解決しようとする課題】
【０００５】
ブロー成形による容器の製造は、例えば、特開２０１１−７９２４３号（特許文献２）にあるように、樹脂製の有底筒状プリフォームを作製し、このプリフォームを加熱し、軸方向に引き延ばし、かつ、内部にエアーを吹き込むことにより、横方向にも延伸することにより製造することが、良好な性状の容器を形成の点より望ましい。【０００６】
しかし、上記のようなブロー成形を検討したところ、扁平筒状の立体状に形成した場合、ブロー成形中に扁平筒状部の上部角部が破裂する、出来上がった容器の水蒸気透過性が高い、落下強度が低いといった問題が生じることを本発明者が知見した。これは、扁平筒状部の角部では、延伸度が他の部分より高くなり、肉薄となることに起因するものであることを、併せて知見した。【０００７】
特許文献１のように、肩側部をなだらかな肩側部形状とすることだけでは、肩側部の過剰な薄肉化を抑制することは困難であった。また、特許文献１のような内側に凹部を形成する平坦部を設けることは、容器体の容量を減少させるものであり、容器体の大型化を招き、望ましいのもではなない。【０００８】
そこで、本発明の目的は、樹脂製筒状プリフォームを作製し、このプリフォームを加熱し、軸方向に引き延ばし、かつ、内部にエアーを吹き込むことにより、横方向にも延伸することにより製造される医療用液体収納容器体であって、容器体を大型化させることなく、かつ上部の２つの肩側部における過剰な薄肉化がなく、十分な強度と形態安定性を有する医療用液体収納容器体、それを用いた薬剤充填済み医療用容器および医療用液体収納容器体の製造方法および薬剤充填済み医療用容器の製造方法を提供するものである。
【課題を解決するための手段】
【０００９】
上記目的を達成するものは以下のものである。
射出成形された樹脂製の筒状プリフォームの二軸延伸ブロー成形体であり、かつ、下端に開口部を有する筒状の排出部と、前記排出部と連続し、かつ上方に延びる扁平筒状下部と、前記扁平筒状下部と連続し、かつ上方に延びる扁平筒状胴部と、前記扁平筒状胴部と連続し、かつ上方に延びる扁平筒状上部とを備え、かつ前記扁平筒状下部、前記扁平筒状胴部および前記扁平筒状上部は、水平断面において長軸と短軸とを有する扁平形状を有する医療用液体収納容器体であって、
前記容器体は、前記扁平筒状上部に設けられた閉塞上面部と、前記閉塞上面部より下方に延び、かつ、前記扁平筒状上部の前記長軸の両端に設けられた２つの肩側部と、前記肩側部と連続し、かつ下方に延びる２つの胴部側部と、前記胴部側部と連続し、かつ下方に延びる２つの下部側部を備え、
前記扁平筒状上部は、前記閉塞上面部に向かって前記長軸の長さおよび前記短軸の長さが減少するように形成されており、さらに、
前記２つの肩側部は、外方に向かって略円弧状に突出する湾曲部となっており、前記２つの胴部側部は、外方に向かって略円弧状に突出する湾曲部となっており、前記２つの下部側部は、外方に向かって略円弧状に突出する湾曲部となっており、
前記肩側部の上下方向の外縁は、曲率半径３０〜６０ｍｍの略円弧状外縁となっており、かつ、前記２つの肩側部の水平方向の外縁は、曲率半径１０〜２５ｍｍの略円弧状外縁となっており、
前記２つの肩側部を含む前記扁平筒状上部は、前記扁平筒状胴部に向かって、徐々に肉薄となっており、
前記扁平筒状下部は、前記扁平筒状胴部に向かって、徐々に肉薄となっており、前記扁平筒状胴部は、前記扁平筒状下部および前記扁平筒状上部よりも薄肉となっており、かつ、前記扁平筒状胴部は、最長長軸部位を備え、前記最長長軸部位が前記扁平筒状胴部の最肉薄部となっており、
さらに、前記容器体は、前記容器体に大気圧の空気を導入した状態において、前記２つの肩側部間の距離が前記２つの胴部側部間の最大距離の９０％となる肩側部部位を備え、かつ、前記肩側部部位の水平断面における前記長軸の長さである肩側部長軸長が、前記扁平筒状上部の上端から前記肩側部部位間の上下方向における長さである肩側部上下方向長の２〜８倍であり、かつ、前記肩側部部位の水平断面における前記容器体の外周の長さである肩側部外周長が、前記肩側部長軸長の２．１〜２．７倍である医療用液体収納容器体。
【００１０】
また、上記目的を達成するものは以下のものである。
上記の医療用液体収納容器体と、前記排出部の前記開口部を封止するとともに、薬剤排出用針の接続が可能な排出ポートと、前記医療用液体収納容器体内に充填された薬剤とを備える薬剤充填済み医療用容器。【００１１】
また、上記目的を達成するものは以下のものである。
下端に開口部を有する筒状の排出部と、前記排出部と連続し、かつ上方に延びる扁平筒状下部と、前記扁平筒状下部と連続し、かつ上方に延びる扁平筒状胴部と、前記扁平筒状胴部と連続し、かつ上方に延びる扁平筒状上部とを備え、かつ前記扁平筒状下部、前記扁平筒状胴部および前記扁平筒状上部は、水平断面において長軸と短軸とを有する扁平形状を備え、さらに、前記扁平筒状上部に設けられた閉塞上面部と、前記扁平筒状上部の両端に設けられた２つの肩側部と、前記２つの肩側部と連続し、かつ下方に延びる２つの胴部側部と、前記２つの胴部側部と連続し、かつ下方に延びる２つの下部側部を有する医療用液体収納容器体の製造方法であって、
射出成形された樹脂製の筒状プリフォームを準備するプリフォーム準備工程と、
前記排出部を成形する排出部成形部と、前記２つの肩側部と閉塞上面部を有する前記扁平筒状上部を成形する筒状上部成形部と、前記２つの胴部側部を有する前記扁平筒状胴部を成形する胴部成形部と、前記排出部の上端と連続する前記扁平筒状下部を成形する筒状下部成形部と、前記容器体の上下方向の中心軸と一致する成形型中心軸とを備える成形型であって、
前記筒状上部成形部は、閉塞上面部形成部に向かって幅が減少し、厚さも薄くなり、さらに、前記２つの肩側部が、外方に向かって略円弧状に突出する湾曲部となり、形成される肩側部の上下方向の外縁が、曲率半径３０〜６０ｍｍの略円弧状外縁となり、かつ、形成される肩側部の水平方向の外縁が、曲率半径１０〜２５ｍｍの略円弧状外縁となるように成形する２つの肩側部成形部を備え、
前記胴部成形部は、前記２つの胴部側部が外方に向かって略円弧状に突出する湾曲部となるように成形する２つの胴部側部成形部を備え、前記筒状下部成形部は、前記２つの下部側部が外方に向かって略円弧状に突出する湾曲部となるように成形する２つの下部側部形成部を備え、
かつ、前記２つの肩側部成形部間の距離が前記２つの胴部側部成形部間の最大距離の９０％となる肩側部部位成形部を有し、さらに、前記肩側部部位成形部は、前記成形型中心軸と直交する成形型肩側部断面における成形型内腔の長軸の長さである成形型肩側部長軸長が、前記成形型中心軸方向における前記上部成形部の上端部から肩側部下端部成形部までの長さである肩側部成形部軸長の３〜８倍であり、かつ、前記成形型肩側部断面における前記上部成形部の内周の長さである肩側部成形部内周長は、前記成形型肩側部長軸長の２．１〜２．７倍である成形型を準備する成形型準備工程と、
前記成形型内に、前記筒状プリフォームの加熱物を配置する加熱筒状プリフォーム配置工程と、
前記加熱筒状プリフォームを前記成形型中心軸方向に延伸する軸延伸と前記筒状プリフォーム内に空気を送り込む拡張延伸とを行い延伸物を形成し、かつ、前記延伸物を前記成形型の内面に当接させて前記容器体を成形する延伸成形工程とを行い、前記扁平筒状下部および前記扁平筒状上部が、前記扁平筒状胴部に向かって、徐々に肉薄となり、前記扁平筒状胴部は、前記扁平筒状下部および前記扁平筒状上部よりも薄肉部となり、かつ、前記扁平筒状胴部は、上下方向中央部位に最長長軸部位を備え、前記最長長軸部位が前記扁平筒状胴部の最肉薄部となる医療用液体収納容器体の形成を行う医療用液体収納容器体の製造方法。
【００１２】
また、上記目的を達成するものは以下のものである。
薬剤充填済み医療用容器の製造方法であって、上記の医療用液体収納容器体の製造方法により医療用液体収納容器体を製造する医療用液体収納容器体製造工程と、前記容器体内に前記薬剤を充填する薬剤工程と、前記容器体の前記排出部の前記開口部を前記排出ポートで封止する排出ポート形成工程とを行う薬剤充填済み医療用容器の製造方法。
【図面の簡単な説明】
【００１３】
【図１】図１は、本発明の医療用液体収納容器体を用いた薬剤充填済み医療用容器の一実施例の正面図である。
【図２】図２は、図１に示した薬剤充填済み容器体の左側面図である。
【図３】図３は、図１に示した薬剤充填済み容器体の平面図である。
【図４】図４は、図１のＡ−Ａ線断面図である。
【図５】図５は、図２のＢ−Ｂ線断面図である。
【図６】図６は、図１のＣ−Ｃ線断面図である。
【図７】図７は、本発明の医療用液体収納容器体の一実施例の正面図である。
【図８】図８は、本発明の医療用液体収納容器体の製造方法を説明するための説明図である。
【図９】図９は、本発明の医療用液体収納容器体の製造方法を説明するための説明図である。
【図１０】図１０は、本発明の医療用液体収納容器体の製造方法を説明するための説明図である。
【図１１】図１１は、本発明の医療用液体収納容器体の他の実施例の正面図である。
【発明を実施するための形態】
【００１４】
本発明の医療用液体収納容器体および薬剤充填済み医療用容器を図面に示す実施例を用いて説明する。
本発明の薬剤充填済み医療用容器１０は、医療用液体収納容器体１と、容器体１の排出部２１の開口部を封止するとともに、薬剤排出用針の接続が可能な排出ポート３と、医療用液体収納容器体１内に充填された薬剤７とを備える。なお、薬剤７に他の薬剤を混注する場合は、排出ポート３に薬剤混注用針が接続される。
【００１５】
また、本発明の医療用液体収納容器体１は、射出成形された樹脂製の筒状プリフォームを二軸延伸ブローすることにより成形され、下端に開口部を有する筒状の排出部２１と、排出部２１と連続し、かつ上方に延びる筒状下部（扁平筒状下部）２２と、筒状下部と連続し、かつ上方に延びる筒状胴部（扁平筒状胴部）２３と、筒状胴部と連続し、かつ上方に延びる筒状上部（扁平筒状上部）２４とを備え、かつ筒状下部、筒状胴部および筒状上部は、水平断面において長軸と短軸とを有する扁平形状を有する。
【００１６】
そして、医療用液体収納容器体１は、筒状上部の長軸の両端に設けられた２つの肩側部２５ａ，２５ｂと、肩側部２５ａ，２５ｂと連続し、かつ下方に延びる２つの胴部側部２６ａ，２６ｂを備える。さらに、容器体１は、容器体に大気圧の空気を導入した状態において、２つの肩側部２５ａ，２５ｂ間の距離が２つの胴部側部２６ａ，２６ｂ間の最大距離Ｗ１（Ｘ）の９０％となる肩側部部位５１を備え、かつ、肩側部部位５１の水平断面における長軸の長さである肩側部長軸長Ｗ２（０．９Ｘ）が、筒状上部２４の上端から肩側部部位５１間の上下方向における長さである肩側部上下方向長Ｈ１の２〜８倍であり、かつ、肩側部部位５１の水平断面における容器体の外周の長さである肩側部外周長が、肩側部長軸長Ｗ２の２．１〜２．７倍となっている。
そして、この実施例の医療用液体収納容器体１では、図１ないし図５に示すように、容器体１の上面部に、回動可能に取り付けられた吊下用部材４を備えている。
【００１７】
容器体１は、図１ないし図７に示すように、扁平状の外形を有し、内部に薬剤収納室２０を有する扁平筒状体である。
容器体１は、射出成形された樹脂製の筒状プリフォームを二軸延伸ブローすることにより成形されている。二軸延伸ブロー成形は、試験管状のプリフォームを成形し、このプリフォームを成形樹脂のガラス転移点（Ｔｇ）以上の温度にて延伸ブロー成形する成形法である。射出成形されたプリフォームの熱履歴の違いにより、大きく分けてホットパリソン法およびコールドパリソン法の２つに分類される。
【００１８】
ホットパリソン法とは、プリフォームが完全に冷却しない状態で温調工程に移し、その後に延伸ブロー成形を行う方法であり、プリフォーム射出成形と延伸ブロー成形とが連続的に同じ成形機で行われる。一方、コールドパリソン法とは、プリフォームを作製した後、一度室温まで冷却し延伸ブロー成形機で再加熱し延伸ブロー成形を行う方法である。コールドパリソン法、ホットパリソン法のいずれを用いるものであってもよいが、コールドパリソン法は、リフォームを予め成形し保管することが出来るため生産性の点において有利である。
【００１９】
容器体１は、下端に開口部を有するほぼ円筒状の排出部２１と、この円筒状排出部２１と連続し、かつ上方に延びる扁平筒状下部２２と、筒状下部２２と連続し、かつ上方に延びる扁平筒状胴部２３と、筒状胴部２３と連続し、かつ上方に延びる扁平筒状上部２４とを備える。そして、図６に示すように、筒状胴部２３は、水平断面において長軸Ｌと短軸Ｓとを有する扁平形状となっている。同様に、筒状下部２２、筒状上部２４も水平断面において長軸Ｌと短軸Ｓとを有する扁平形状となっている。
【００２０】
円筒状排出部２１は、ほぼ同一内径にて所定長延びる筒状部であり、また、非延伸部であり、筒状プリフォームの形成形態を維持している。このため、容器体１の下端部は、非延伸部となっている。また、排出部２１は、下端開口と、ポート部材接合用のフランジ２１ａとフランジ２１ａより上方に形成された補強用フランジ２１ｂを備えている。
また、容器体１は、閉塞した上面部２８を有しており、この上面部２８には、上方に突出する突出部２９が形成されている。突出部２９は、吊下用部材４の装着保持部として機能する。
【００２１】
容器体１は、排出部２１と連続し、かつ上方に延びる扁平筒状下部２２を備えている。扁平筒状下部２２は、図１ないし図７に示すように、下端部（排出部の上端）では、ほぼ円筒形であるものが、上方に向かって幅が急激に広がるとともに、厚さも徐々に広くなるように形成されている。このため、扁平筒状下部２２は、上方に向かって長軸長が急激に長くなる方向に変化し、短軸長も徐々に長くなる方向に変化している。しかし、長軸長の変化量が、短軸長の変化量よりかなり多いため、変形筒状下部２２は、下端から上端に向かって、急激に扁平化が進行するものとなっている。
【００２２】
そして、容器体１は、扁平筒状下部２２の長軸側の両端部に設けられた２つの下部側部２７ａ，２７ｂを備えている。２つの下部側部２７ａ，２７ｂは、排出部２１に向かって急激に近接するものとなっている。また、下部側部２７ａ，２７ｂは、外方に向かって略円弧状に突出する湾曲部となっている。
さらに、容器体１は、筒状下部２２の長軸側（長軸を挟んで対向する）の正面および裏面にそれぞれ設けられた下部中央部２２ａ、２２ｂを備え、下部中央部は、下端から上端に向かって肉厚が徐々に薄くなっている。
【００２３】
また、容器体１は、扁平筒状下部２２の上端と連続し、かつ上方に延びる扁平筒状胴部２３を備える。また、扁平筒状胴部２３は、下部側部２７ａ，２７ｂの上端と連続し、上方にのびる２つの胴部側部２６ａ，２６ｂを備えている。胴部側部２６ａ，２６ｂは、外方に向かって略円弧状に突出する湾曲部となっている。扁平筒状胴部２３は、図７に示す中央部位５２がもっとも長軸長が長い（幅が広い）最長長軸部位となっている。なお、扁平筒状胴部２３は、所定長軸方向に延びるものの長軸長（幅）および短軸長（厚さ）の変化が少ないものとなっている。
【００２４】
また、容器体１は、扁平筒状胴部２３の上端と連続し、かつ上方に延びる扁平筒状上部２４を備える。また、扁平筒状上部２４は扁平筒状上部２４の長軸の両端に設けられた２つの肩側部２５ａ，２５ｂと連続し、肩側部２５ａ，２５ｂは胴部側部２６ａ，２６ｂの上端と連続し、閉塞した上面部２８まで延びるものとなっている。扁平筒状上部２４は、図１ないし図７に示すように、上方（上面部２８）に向かって幅が減少するとともに、厚さも徐々に薄くなるように形成されている。このため、扁平筒状上部２４は、上方に向かって長軸長、短軸長ともに減少方向に変化している。肩側部２５ａ，２５ｂは、外方に向かって略円弧状に突出する湾曲部となっている。
【００２５】
そして、容器体１は、長軸の両端に位置する長軸部位が、容器体の上下方向の中心軸から容器体の外縁までの距離の最大値部位となっている。具体的には、筒状胴部２３は、水平断面において長軸Ｌと短軸Ｓとを有する扁平形状となっており、かつ、図６に示すように、長軸部位５２が、容器体１の上下方向の中心軸から容器体の外縁までの距離の最大値部位となっている。そして、筒状胴部２３の全体かつ胴部側部２６ａ，２６ｂにおいて、長軸部位５２が最も肉薄部となっている。このため、筒状胴部２３は、２つの長軸部位５２を屈曲点として、容易に潰れるものとなっている。
また、同様に、筒状下部２２、筒状上部２４においても、容器体の上下方向の中心軸から容器体の外縁までの距離の最大値部位となっている。このため、胴部側部２６ａ，２６ｂが長軸部位５２を屈曲点として潰れることを支持するとともに、それらの部位における潰れも良好なものとなっている。
【００２６】
また、図４には、筒状下部２２、筒状胴部２３および筒状上部２４の長軸側の中心断面（扁平面中心断面）が図示されている。図４に示すように、筒状胴部２３は、肉厚変化が少ない部分となっている。また、筒状下部２２および筒状上部２４は、筒状胴部２３に向かって、徐々に肉薄となっている。しかし、筒状下部２２の上部と筒状胴部２３の下部間における肉厚変化は、大きなものとはなっていない。同様に、筒状上部２４の下部と筒状胴部２３の上部間における肉厚変化は、大きなものとはなっていない。
【００２７】
また、図５には、筒状下部２２、筒状胴部２３および筒状上部２４の短軸側の中心断面（扁平側部中心断面）が図示されている。図５に示すように、筒状胴部２３は、他の部位よりも薄い薄肉部となっている。また、筒状胴部２３は、肉厚変化が少ない部分となっている。そして、筒状下部２２および筒状上部２４は、筒状胴部２３に向かって、徐々に肉薄となっている。さらに、筒状下部２２の上部と筒状胴部２３の下部間における肉厚変化は、図４に示す扁平面中心断面における肉厚変化よりも大きなものとなっている。同様に、筒状上部２４の上部と筒状胴部２３の上部間における肉厚変化も、図４に示す扁平面中心断面における肉厚変化よりも大きなものとなっている。
【００２８】
そして、図７に示すように、容器体１は、容器体に大気圧の空気を導入した状態において、長軸長が最大となる筒状胴部２３の中央部位５２において、最大距離Ｗ１（Ｘ）を有している。言い換えれば、２つの中央部位５２間が、最大距離Ｗ１（Ｘ）となっている。そして、筒状上部２４は、２つの肩側部２５ａ，２５ｂ間の距離が、胴部側部の最大距離Ｗ１（Ｘ）の９０％となる肩側部部位５１を備えている。この肩側部部位５１は、筒状上部２４の下端より若干上方に位置している。そして、肩側部部位５１の水平断面における長軸の長さである肩側部長軸長Ｗ２は、０．９Ｘとなっている。
【００２９】
さらに、この容器体１では、上記の肩側部長軸長Ｗ２が、筒状上部２４の上端から肩側部部位５１間の上下方向における長さである肩側部上下方向長Ｈ１の２〜８倍となっている。さらに、肩側部部位５１の水平断面における容器体の外周の長さである肩側部外周長が、肩側部長軸長Ｗ２の２．１〜２．７倍となっている。
【００３０】
肩側部２５ａ，２５ｂを含む筒状上部２４を上記のような形態することにより、２つの肩側部を十分に肉薄でありかつ過剰な薄肉化がないものとすることができる。なお、肩側部部位５１の水平断面における肩側部長軸長Ｗ２は、肩側部上下方向長Ｈ１の３〜６倍であることが好ましい。また、肩側部部位５１の水平断面における肩側部外周長は、肩側部長軸長Ｗ２の２．２〜２．５倍であることが好ましい。
【００３１】
また、容器体１は、筒状上部２４の長軸側（長軸を挟んで対向する）の正面および裏面にそれぞれ設けられた上部中央部２４ａ，２４ｂを備え、上部中央部２４ａ，２４ｂは、上端から下端に向かって肉厚が徐々に薄くなっている。具体的には、上部中央部２４ａ，２４ｂは、下部から閉塞した上面部２８に向かって急激に肉厚となるものとなっている。
【００３２】
また、容器体１の肩側部２５ａ，２５ｂの上下方向の外縁（図１、図５および図７における肩側部２５ａ，２５ｂの外縁）は、曲率半径３０〜６０ｍｍの略円弧状外縁となっていることが好ましい。特に、曲率半径が、４０〜５５ｍｍであることが好ましい。また、肩側部２５ａ，２５ｂの水平方向の外縁は、曲率半径１０〜２５ｍｍの略円弧状外縁となっていることが好ましい。特に、曲率半径が、２０〜２５ｍｍであることが好ましい。
【００３３】
そして、この実施例の容器体１では、筒状下部２２は、２つの下部側部２７ａ，２７ｂ間の距離が、胴部側部の最大距離Ｗ１（Ｘ）の９０％となる下部側部部位５３を備えている。この下部側部部位５３は、筒状上部２４の下端より若干下方に位置している。そして、下部側部部位５３の水平断面における長軸の長さである肩側部長軸長Ｗ３は、０．９Ｘとなっている。さらに、この容器体１では、上記の下部部長軸長Ｗ３が、筒状下部２２の下端（筒状排出部２１の上端）から肩下部部部位５３間の上下方向における長さである筒状下部上下方向長Ｈ２の２〜８倍となっている。さらに、下部側部部位５３の水平断面における容器体の外周の長さである肩側部外周長が、下部側部長軸長Ｗ３の２．１〜２．７倍となっている。
【００３４】
下部側部２７ａ，２７ｂを含む筒状下部２２を上記のような形態することにより、２つの下部側部を十分に肉薄でありかつ過剰な薄肉化がないものとすることができる。なお、下部側部部位５３の水平断面における肩側部長軸長Ｗ３は、筒状下部上下方向長Ｈ２の３〜６倍であることが好ましい。また、下部側部部位５３の水平断面における肩側部外周長は、下部側部長軸長Ｗ３の２．２〜２．５倍であることが好ましい。
【００３５】
また、容器体１の下部側部２７ａ，２７ｂの上下方向の外縁（図１、図５および図７における下部側部２７ａ，２７ｂの外縁）は、曲率半径３０〜６０ｍｍの略円弧状外縁となっていることが好ましい。特に、曲率半径が、４０〜５５ｍｍであることが好ましい。また、下部側部２７ａ，２７ｂの水平方向の外縁は、曲率半径１０〜２５ｍｍの略円弧状縁となっていることが好ましい。特に、曲率半径が、２０〜２５ｍｍであることが好ましい。
【００３６】
また、胴部側部２６ａ，２６ｂの水平方向の外縁（図３および図６における胴部側部２６ａ，２６ｂの外縁）は、曲率半径１０〜２５ｍｍの略円弧状となっていることが好ましい。
【００３７】
容器体１は、熱可塑性樹脂により形成されている。容器体１の形成材料である熱可塑性樹脂としては、例えば、ポリオレフィン（ポリエチレン、ポリプロピレン、エチレン−プロピレンコポリマー、ポリプロピレンとポリエチレンもしくはポリブテンの混合物）、ポリエステル（ポリエチレンテレフタレート、ポリブチレンテレフタレート）、ポリアミド、ポリ塩化ビニリデン、 ポリフッ化ビニリデンなど等が挙げられる。この中でも、耐熱性に優れたポリプロピレン系樹脂が最も好ましい。
【００３８】
容器体１の内容積としては、５０〜１６００ｍｌが好ましく、突出部２９の直径は２〜５ｍｍ程度が好ましい。また、容器体本体２の厚さは、０．１〜０．５ｍｍが好ましく、容器体本体２の幅は、６０〜１５０ｍｍ、容器体本体２の長さは１１０〜２５０ｍｍであることが好ましい。
【００３９】
排出ポート３は、医療用液体収納容器体１の排出部２１の開口を封止している。排出ポート３としては、公知のものが使用できる。図示する排出ポート３は、開口を有する筒状部材３２と、筒状部材３２の開口端を閉塞し、かつ、薬剤排出用針管の接続が可能な封止部３１を有している。そして、筒状部材３２は、端部に設けられたフランジ３３を備えており、この筒状部材３２のフランジ３３と容器体１の排出部２２に設けられたフランジ２１ａとが液密状態に固着されている。薬剤７としては、どのようなものでもよいが、輸液用の薬液、例えば生理食塩水等が好ましい。
【００４０】
次に、本発明の医療用液体収納容器体の製造方法について、図１ないし図１０を用いて説明する。
また、本発明の医療用液体収納容器体の製造方法は、上述した医療用液体収納容器体の製造方法である。具体的には、下端に開口部を有する筒状の排出部２１と、排出部２１と連続し、かつ上方に延びる筒状下部２２と、筒状下部２２と連続し、かつ上方に延びる筒状胴部２３と、筒状胴部２３と連続し、かつ上方に延びる筒状上部２４とを備え、かつ筒状下部２２、筒状胴部２３および筒状上部２４は、水平断面において長軸と短軸とを有する扁平形状を備え、さらに、筒状上部２４の長軸の両端に設けられた２つの肩側部２５ａ，２５ｂと、２つの肩側部２５ａ，２５ｂと連続し、かつ下方に延びる２つの胴部側部２６ａ，２６ｂと、２つの胴部側部２６ａ，２６ｂと連続し、かつ下方に延びる２つの下部側部２７ａ、２７ｂとを有する医療用液体収納容器体の製造方法である。
【００４１】
本発明の医療用液体収納容器体の製造方法では、射出成形された樹脂製の筒状プリフォーム８を準備するプリフォーム準備工程が行われる。
プリフォーム８としては、例えば、図８に示すような筒状体を準備する。図示するプリフォーム８は、筒状本体部８１と、本体部８１の下部に形成された排出部形成部８２と、本体部８１の上端に形成された突出部８３とを有している。この実施例のプリフォーム８では、上端部は、半球状となった上端閉塞部となっており、その頂点部分に上方に突出する突出部８３が形成されている。また、プリフォーム内には、排出部形成部８２の下端開口から上端閉塞部まで、延びる内腔が形成されている。
【００４２】
プリフォーム８の形成材料である熱可塑性樹脂としては、例えば、ポリオレフィン（ポリエチレン、ポリプロピレン、エチレン−プロピレンコポリマー、ポリプロピレンとポリエチレンもしくはポリブテンの混合物）、ポリエステル（ポリエチレンテレフタレート、ポリブチレンテレフタレート）、ポリアミド、ポリ塩化ビニリデン、 ポリフッ化ビニリデンなど等が挙げられる。この中でも、耐熱性に優れたポリプロピレン系樹脂が最も好ましい。
【００４３】
また、本発明の医療用液体収納容器体の製造方法では、成形型を準備する成形型準備工程が行われる。
具体的には、排出部２１を成形する排出部成形部と、２つの下部側部２７ａ、２７ｂを有す扁平筒状下部２２を形成する筒状下部成形部と、２つの胴部側部２６ａ，２６ｂを有する扁平筒状胴部２３を形成する筒状胴部成形部と、２つの肩側部２５ａ，２５ｂを有する扁平筒状上部を形成する筒状部成形部とを備えるものを準備する。特に、図８ないし図１０に図示する成形装置６０は、二つ割りの金型６１，６２を備えており、それぞれの金型６１，６２の内面には、医療用液体収納容器体１の各扁平面側全体を形成するための凹部６１ａ，６１ｂを備えている。また、成形装置６０は、プリフォーム起立載置部６４と、起立載置部６４に起立状体にて載置されたプリフォーム内に空気を圧入するため空気注入部６５と、プリフォーム８の突出部８３を把持し、上方に引き上げるためのプリフォーム引き上げ部６３を備えている。
【００４４】
そして、使用される金型６１，６２は、排出部を成形する排出部成形部と、２つの肩側部を有する筒状上部を成形する筒状上部成形部と、２つの胴部側部を有する筒状胴部を成形する胴部成形部と、排出部の上端と連続する筒状下部を成形する筒状下部成形部と、容器体の上下方向の中心軸と一致する成形型中心軸とを備えている。さらに、金型６１，６２としては、筒状上部成形部は、２つの肩側部成形部を備え、かつ、２つの肩側部成形部間の距離が２つの胴部側部成形部間の最大距離の９０％となる肩側部部位成形部を有し、さらに、肩側部部位成形部は、成形型中心軸と直交する成形型肩側部断面における成形型内腔の長軸の長さである成形型肩側部長軸長が、成形型中心軸方向における上部成形部の上端部から肩側部下端部成形部までの長さである肩側部成形部軸長の３〜８倍であり、かつ、成形型肩側部断面における上部成形部の内周の長さである肩側部成形部内周長は、成形型肩側部長軸長の２．１〜２．７倍である成形型が用いられる。このような金型を用いることにより、上述した医療用液体収納容器体を容易に製造することができる。
【００４５】
そして、予め加熱した上記のプリフォーム８と成形装置６０を準備した後、図８に示すように、プリフォーム８の加熱物を成形装置６０内に配置する加熱筒状プリフォーム配置工程を行う。なお、このとき成形装置６０の金型６１，６２とは離間した状態にある。
【００４６】
具体的には、筒状プリフォーム８を引き上げ（引き延ばし）可能な程度まで軟化するように加熱する。そして、加熱したプリフォーム８を図８に示すように、成形装置６０内に、排出部形成部８２を起立載置部６４上に配置し、突出部８３をプリフォーム引き上げ部６３により把持させた状態とする。
【００４７】
次に、加熱した筒状プリフォーム８を成形型中心軸方向に延伸する軸延伸と筒状プリフォーム８内に空気を送り込む拡張延伸とを行い延伸物を形成し、かつ、延伸物を成形型の内面に当接させて容器体を成形する延伸成形工程が行われる。
【００４８】
延伸成形工程では、軸方向延伸と軸に直交する方向への横方向延伸が行われる。具体的には、図９に示すように、最初に、加熱した筒状プリフォーム８内に空気を送り込みながら、突出部８３を把持したプリフォーム引き上げ部６３を上方に移動させて、筒状プリフォーム８を軸方向（縦方向）に延伸する。これにより、プリフォーム８は、医療用液体収納容器体１の全長と同じ長さに引き伸ばされたプリフォーム軸延伸物８ａとなる。プリフォーム軸延伸物８ａでは、本体部が伸ばされ、延伸本体部８１ａとなる。また、加熱した筒状プリフォーム８を成形型中心軸方向に延伸する軸延伸と筒状プリフォーム８内に空気を送り込む拡張延伸とがほぼ同時に開始されるため、加熱した筒状プリフォーム８は横方向にもある程度延伸されながら軸方向に延伸される。このため、延伸本体部８１ａは、横方向にもある程度延伸され、かつ、下端および上端から中央に向けて拡径した円筒状になる。
【００４９】
続いて、図１０に示すように、プリフォーム軸延伸物８ａ内に引き続き空気を送り込みながら、金型６１，６２を当接させ、その内部にプリフォーム軸延伸物８ａが収納された状態とする。この間に、横方向に若干延伸された延伸本体部８１ａの中央部の外面は金型６１，６２の内面と接触し、扁平形状に押し潰される。その後、空気注入部６５よりプリフォーム軸延伸物８ａ内にさらに高い圧力で空気を送り込み、プリフォーム軸延伸物８ａの外面全体を金型６１，６２の内面（凹部）６１ａ，６２ａに密着させる。これにより、プリフォーム軸延伸物８ａの延伸本体部８１ａは、軸に直交する方向に完全に横延伸され、拡張延伸本体部８１ｂとなり、金型内において、医療用液体収納容器体８ｂが製造される。
【００５０】
このように、延伸成形工程では、加熱した筒状プリフォーム８を成形型中心軸方向に延伸する軸延伸と筒状プリフォーム８内に空気を送り込む拡張延伸とがほぼ同時に開始され、軸延伸が終了した後も引き続き拡張延伸が行われることで、医療用液体収納容器体８ｂが製造される。
そして、金型６１，６２を離間させ、プリフォーム引き上げ部６３、起立載置部６４を成形物より離脱させることにより、医療用液体収納容器体８ｂを得ることができる。
【００５１】
なお、加熱した筒状プリフォーム８を成形型中心軸方向に延伸する軸延伸は、筒状プリフォーム８の排出部形成部８２の下端開口から延伸棒を挿入し、上端閉塞部を上方に突き上げるように延伸する方法でもよい。さらに、延伸成形工程では、予め金型６１，６２を当接させた状態で、加熱した筒状プリフォーム８を成形型中心軸方向に延伸する軸延伸を行ってもよい。
【００５２】
また、本発明の医療用液体収納容器体としては、図１１に示すような医療用液体容器１ａであってもよい。この医療用液体容器１ａと上述した医療用液体収納容器体１との相違は、容器体の上端部の形態のみであり、その他の部分は同じであり、同じ符号を付し、上述した説明を参照するものとする。
そして、この実施例の医療用液体収納容器体１ａも、射出成形された樹脂製の筒状プリフォームを二軸延伸ブローすることにより成形され、下端に開口部を有する筒状の排出部２１と、排出部２１と連続し、かつ上方に延びる筒状下部（扁平筒状下部）２２と、筒状下部と連続し、かつ上方に延びる筒状胴部（扁平筒状胴部）２３と、筒状胴部と連続し、かつ上方に延びる筒状上部（扁平筒状上部）２４と、筒状上部と連続し、かつ上方に延び、上端に開口部を有する筒状の注入部４１とを備え、かつ筒状下部、筒状胴部および筒状上部は、水平断面において長軸と短軸とを有する扁平形状を有する。
【００５３】
そして、医療用液体収納容器体１ａは、筒状上部の長軸の両端に設けられた２つの肩側部２５ａ，２５ｂと、肩側部２５ａ，２５ｂと連続し、かつ下方に延びる２つの胴部側部２６ａ，２６ｂを備える。さらに、容器体１ａは、容器体に大気圧の空気を導入した状態において、２つの肩側部２５ａ，２５ｂ間の距離が２つの胴部側部２６ａ，２６ｂ間の最大距離Ｗ１（Ｘ）の９０％となる肩側部部位５１を備え、かつ、肩側部部位５１の水平断面における長軸の長さである肩側部長軸長Ｗ２（０．９Ｘ）が、筒状上部２４の上端から肩側部部位５１間の上下方向における長さである肩側部上下方向長Ｈ１の２〜８倍であり、かつ、肩側部部位５１の水平断面における容器体の外周の長さである肩側部外周長が、肩側部長軸長Ｗ２の２．１〜２．７倍となっている。
【００５４】
容器体１ａは、下端に開口部を有するほぼ円筒状の排出部２１と、この円筒状排出部２１と連続し、かつ上方に延びる扁平な筒状下部２２と、筒状下部２２と連続し、かつ上方に延びる扁平な筒状胴部２３と、筒状胴部２３と連続し、かつ上方に延びる扁平な筒状上部２４と、筒状上部２４と連続し、かつ上方に延び、上端に開口部を有するほぼ円筒状の注入部４１とを備える。
そして、筒状胴部２３は、水平断面において長軸Ｌと短軸Ｓとを有する扁平形状となっている。同様に、筒状下部２２、筒状上部２４も水平断面において長軸Ｌと短軸Ｓとを有する扁平形状となっている。
【００５５】
円筒状排出部２１は、ほぼ同一内径にて所定長延びる筒状部であり、また、非延伸部であり、筒状プリフォームの形成形態を維持している。このため、容器体１の下端部は、非延伸部となっている。また、排出部２１は、下端開口と、ポート部材接合用のフランジ２１ａとフランジ２１ａより上方に形成された補強用フランジ２１ｂを備えている。
【００５６】
円筒状注入部４１は、ほぼ同一内径にて所定長延びる筒状部であり、また、非延伸部であり、筒状プリフォームの形成形態を維持している。このため、容器体１ａの上端部は、非延伸部となっている。また、注入部４１は、上端開口と、ポート部材接合用のフランジ４１ａとフランジ４１ａより下方に形成された補強用フランジ４１ｂを備えている。
【００５７】
なお、注入部には、吊下用部材（図示せず）が取り付けられる。また、この医療用液体収納容器体１ａの製造に用いられるプリフォームは、図８に示すプリフォーム８と異なり、筒状本体部と、筒状本体部の下部に形成された排出部形成部と、筒状本体部の上部に形成された注入部形成部とを有している。また、このプリフォーム内には、排出部形成部の下端開口から注入部形成部の上端開口までを貫通する内腔が形成されている。また、この医療用液体収納容器体１ａの製造に用いられる成形装置のプリフォーム引き上げ部は、図８ないし図１０に図示する成形装置６０のプリフォーム引き上げ部６３と異なり、引き上げ部に注入部形成部の開口部を封止する部分と、注入部形成部のフランジ部を引っ掛ける部分とを備えている。そして、製造時には、このプリフォーム引き上げ部が、注入部形成部の開口部を封止した状態でプリフォームの注入部形成部全体を把持して引き上げる。また、この医療用液体収納容器体１ａは、医療用液体収納容器体１と同様に、容器体１ａの排出部２１の開口部及び注入部の開口部を封止するともに、薬剤排出用針の接続が可能な排出ポートと、薬剤混注用針の接続が可能な混注ポートと、医療用液体収納容器体１ａ内に充填された薬剤７とを備える薬剤充填済み医療用容器とすることができる。
【産業上の利用可能性】
【００５８】
本発明の医療用液体収納容器体は、以下のものである。
（１）  射出成形された樹脂製の筒状プリフォームを二軸延伸ブローすることにより成形され、下端に開口部を有する筒状の排出部と、前記排出部と連続し、かつ上方に延びる筒状下部と、前記筒状下部と連続し、かつ上方に延びる筒状胴部と、前記筒状胴部と連続し、かつ上方に延びる筒状上部とを備え、かつ前記筒状下部、前記筒状胴部および前記筒状上部は、水平断面において長軸と短軸とを有する扁平形状を有する医療用液体収納容器体であって、前記容器体は、前記筒状上部の前記長軸の両端に設けられた２つの肩側部と、前記肩側部と連続し、かつ下方に延びる２つの胴部側部を備え、さらに、前記容器体は、前記容器体に大気圧の空気を導入した状態において、前記２つの肩側部間の距離が前記２つの胴部側部間の最大距離の９０％となる肩側部部位を備え、かつ、前記肩側部部位の水平断面における前記長軸の長さである肩側部長軸長が、前記筒状上部の上端から前記肩側部部位間の上下方向における長さである肩側部上下方向長の２〜８倍であり、かつ、前記肩側部部位の水平断面における前記容器体の外周の長さである肩側部外周長が、前記肩側部長軸長の２．１〜２．７倍である医療用液体収納容器体。【００５９】
このため、上部の２つの肩側部における過剰な薄肉化がなく、十分な強度と形態安定性を有し、かつ、内側に窪む凹部も持たないため、大型化することもない。【００６０】
また、上記の実施態様は、以下のものであってもよい。
（２）  前記２つの肩側部は、外方に向かって略円弧状に突出する湾曲部となっている上記（１）に記載の医療用液体収納容器体。
（３）  前記肩側部部位の水平断面における前記肩側部長軸長は、前記肩側部上下方向長の３〜６倍である上記（１）または（２）に記載の医療用液体収納容器体。
（４）  前記肩側部部位の水平断面における前記肩側部外周長は、前記肩側部長軸長の２．２〜２．５倍である上記（１）ないし（３）のいずれかに記載の医療用液体収納容器体。
（５）  前記容器体は、前記長軸部位が、前記容器体の上下方向の中心軸から前記容器体の外縁までの距離の最大値部位となっている上記（１）ないし（４）のいずれかに記載の医療用液体収納容器体。
（６）  前記容器体は、前記筒状上部の前記長軸を挟んで対向する正面および裏面にそれぞれ設けられた上部中央部を備え、前記上部中央部は、上端から下端に向かって肉厚が徐々に薄くなっている上記（１）ないし（５）のいずれかに記載の医療用液体収納容器体。
（７）  前記容器体は、前記２つの胴部側部のそれぞれから下方に延びる２つの下部側部を備え、さらに、前記容器体は、前記容器体に大気圧の空気を導入した状態において、前記２つの下部側部間の距離が前記２つの胴部側部間の最大距離の９０％となる下部側部部位を備え、かつ、前記下部側部部位の水平断面における前記長軸の長さである下部長軸長が、前記筒状下部の下端から前記下部側部部位までの上下方向における長さである下部上下方向長の２〜８倍であり、かつ、前記下部側部部位の水平断面における前記容器体の外周の長さである下部外周長が、前記下部長軸長の２．１〜２．７倍である上記（１）ないし（６）のいずれかに記載の医療用液体収納容器体。【００６１】
（８）  前記２つの下部側部は、外方に向かって略円弧状に突出する湾曲部となっている上記（７）に記載の医療用液体収納容器体。
（９）  前記下部側部部位の水平断面における前記下部長軸長は、前記下部上下方向長の３〜６倍である上記（７）または（８）に記載の医療用液体収納容器体。
（１０）  前記下部側部部位の水平断面における前記下部外周長は、前記下部長軸長の２．２〜２．５倍である上記（７）ないし（９）のいずれかに記載の医療用液体収納容器体。
（１１）  前記容器体は、前記筒状下部の前記長軸を挟んで対向する正面および裏面にそれぞれ設けられた下部中央部を備え、前記下部中央部は、下端から上端に向かって肉厚が徐々に薄くなっている上記（１）ないし（１０）のいずれかに記載の医療用液体収納容器体。
（１２）  前記容器体は、上端部に吊下用部材装着部もしくは吊下可能部を備えている上記（１）ないし（１１）のいずれかに記載の医療用液体収納容器体。【００６２】
また、本発明の薬剤充填済み医療用容器は、以下のものである。
（１３）  上記（１）ないし（１２）のいずれかに記載の医療用液体収納容器体と、前記排出部の前記開口部を封止するとともに、薬剤排出用針の接続が可能な排出ポートと、前記医療用液体収納容器体内に充填された薬剤とを備える薬剤充填済み医療用容器。【００６３】
また、本発明の医療用液体収納容器体の製造方法は、以下のものである。
（１４）  下端に開口部を有する筒状の排出部と、前記排出部と連続し、かつ上方に延びる筒状下部と、前記筒状下部と連続し、かつ上方に延びる筒状胴部と、前記筒状胴部と連続し、かつ上方に延びる筒状上部とを備え、かつ前記筒状下部、前記筒状胴部および前記筒状上部は、水平断面において長軸と短軸とを有する扁平形状を備え、さらに、前記筒状上部の両端に設けられた２つの肩側部と、前記２つの肩側部と連続し、かつ下方に延びる２つの胴部側部を有する医療用液体収納容器体の製造方法であって、
射出成形された樹脂製の筒状プリフォームを準備するプリフォーム準備工程と、
前記排出部を成形する排出部成形部と、前記２つの肩側部を有する前記筒状上部を成形する筒状上部成形部と、前記２つの胴部側部を有する前記筒状胴部を成形する胴部成形部と、前記排出部の上端と連続する前記筒状下部を成形する筒状下部成形部と、前記容器体の上下方向の中心軸と一致する成形型中心軸とを備える成形型であって、前記筒状上部成形部は、２つの肩側部成形部を備え、かつ、前記２つの肩側部成形部間の距離が前記２つの胴部側部成形部間の最大距離の９０％となる肩側部部位成形部を有し、さらに、前記肩側部部位成形部は、前記成形型中心軸と直交する成形型肩側部断面における成形型内腔の長軸の長さである成形型肩側部長軸長が、前記成形型中心軸方向における前記上部成形部の上端部から肩側部下端部成形部までの長さである肩側部成形部軸長の３〜８倍であり、かつ、前記成形型肩側部断面における前記上部成形部の内周の長さである肩側部成形部内周長は、前記成形型肩側部長軸長の２．１〜２．７倍である成形型を準備する成形型準備工程と、
前記成形型内に、前記筒状プリフォームの加熱物を配置する加熱筒状プリフォーム配置工程と、
前記加熱筒状プリフォームを前記成形型中心軸方向に延伸する軸延伸と前記筒状プリフォーム内に空気を送り込む拡張延伸とを行い延伸物を形成し、かつ、前記延伸物を前記成形型の内面に当接させて前記容器体を成形する延伸成形工程とを行う医療用液体収納容器体の製造方法。【００６４】
また、上記の実施態様は、以下のものであってもよい。
（１５）  前記成形型の前記２つの肩側部成形部は、略円弧状に延びる湾曲部となっている上記（１４）に記載の医療用液体収納容器体の製造方法。
（１６）  前記成形型は、前記肩側部成形部における水平方向断面において、前記成形型内腔の長軸方向の両端部は、１０〜２５ｍｍの曲率半径の円弧状に湾曲している上記（１４）または（１５）に記載の医療用液体収納容器体の製造方法。
（１７）  前記成形型は、前記肩側部成形部において、内面に角部を持たないものとなっている上記（１４）ないし（１６）のいずれかに記載の医療用液体収納容器体の製造方法。【００６５】
また、薬剤充填済み医療用容器の製造方法は、以下のものである。
（１８）  薬剤充填済み医療用容器の製造方法であって、上記（１４）ないし（１７）のいずれかに記載の医療用液体収納容器体の製造方法により医療用液体収納容器体を製造する医療用液体収納容器体製造工程と、前記容器体内に前記薬剤を充填する薬剤工程と、前記容器体の前記排出部の前記開口部を前記排出ポートで封止する排出ポート形成工程とを行う薬剤充填済み医療用容器の製造方法。
【図１】
0006480915.tif 000002
【図２】
0006480915.tif 000003
【図３】
0006480915.tif 000004
【図４】
0006480915.tif 000005
【図５】
0006480915.tif 000006
【図６】
0006480915.tif 000007
【図７】
0006480915.tif 000008
【図８】
0006480915.tif 000009
【図９】
0006480915.tif 000010
【図１０】
0006480915.tif 000011
【図１１】
0006480915.tif 000012